(57)【要約】多層表面処理パッドが開示される。これはフック/ループタイプのファスナーシステムの一部分として機能するのに適する上層と、研磨材あるいはつや出し材を有する底層と、殆どがパッドの中央領域に位置し、上層と底層との間に配置された隆起の形状にて置かれた洗浄あるいは他の表面処理製剤と、を有する。表面処理製剤の隆起のために、上層は上方に膨らみ、電動デバイスをどこに最適に取り付けるべきかの視覚的指標を提供する。
2013502268.tif 000002
【特許請求の範囲】
【請求項１】
多層表面処理パッドであって、
ファスナーシステムの一部分として機能するのに適する上層と、
第一の材料を有する底層と、
占める容積の殆どが前記パッドの中央領域に位置し、隆起の形状で前記上層と前記底層との間に配置された表面処理製剤と、
を含み、
前記製剤の前記隆起によって前記上層は上方に膨らみ、電動駆動デバイスをどこに取り付けたらよいかの視覚的指標を提供する、多層表面処理パッド。
【請求項２】
多層表面処理パッドであって、
ファスナーシステムの一部分として機能するのに適する上層と、
研磨材を有する底層と、
占める容積の殆どが前記パッドの中央領域に位置し、隆起の形状で前記上層と前記底層との間に配置された表面処理製剤と、
を含み、
前記製剤の前記隆起によって前記上層は上方に膨らみ、電動駆動デバイスをどこに取り付けたらよいかの視覚的指標を提供する、多層表面処理パッド。
【請求項３】
前記ファスナーシステムはフック/ループタイプのファスナーシステムである、請求項２の多層表面処理パッド。
【請求項４】
さらに前記上層と前記底層との間に配置された内部層を含み、前記内部層は吸収性の材料を有する、請求項２の多層表面処理パッド。
【請求項５】
前記上層はポリエステルと接着剤にて粘着的に結合されたプロピレン膜の裏張りとの積層を有し、前記内部層はセルロースと合成バインダー繊維の混合物を有し、前記底層はポリエステルを有する、請求項４の多層表面処理パッド。
【請求項６】
前記上層、前記内部層および前記底層は互いに溶接される、請求項４の多層表面処理パッド。
【請求項７】
前記上層、前記内部層および前記底層は、前記隆起から径方向に外側において、前記パッドの前記中央領域から外側に放射状に延在して配列された溶接スポークにて互いに溶接される、請求項６の多層表面処理パッド。
【請求項８】
前記上層、前記内部層および前記底層は、配列されたスポット溶接線にて互いに溶接される、請求項６の多層表面処理パッド。
【請求項９】
さらに、前記上層、前記内部層および前記底層は前記パッドの円の周辺に隣接して互いに溶接される請求項７の多層表面処理パッド。
【請求項１０】
前記多層表面処理パッドは平面図において概ね円形ディスクの形状である、請求項２の多層表面処理パッド。
【請求項１１】
さらに前記概ね円形のディスクから径方向に外側に突出するタブを含む、請求項１０の多層表面処理パッド。
【請求項１２】
前記パッドの外側円周エッジは前記パッドのより中央部分に対して下方にバイアスされている、請求項１０の多層表面処理パッド。
【請求項１３】
前記洗浄製剤は流動性材料の形態である、請求項２の多層表面処理パッド。
【請求項１４】
前記洗浄材料はペーストおよびゲルから成る一群から選択される、請求項１３の多層表面処理パッド。
【請求項１５】
回転するヘッドを有するヘッドを有する電動ドライバであって、前記ヘッドはファスナーシステムの一部が設けられた面を有する電動ドライバと、
多層表面処理パッドと、
を含み、
前記多層表面処理パッドは、前記面に対して搭載でき、これによって回転されるべきファスナーシステムのもう一つの部分として機能するのに適する上層と、
研磨材を有する底層と、
前記パッドが洗浄のために使用される前に前記上層と前記底層との間に配置されている洗浄製剤と、
を含む洗浄デバイス。
【請求項１６】
前記ファスナーシステムはフック/ループタイプのファスナーシステムである、請求項１５の洗浄デバイス。
【発明の詳細な説明】
【技術分野】
【０００１】
本発明は電動駆動デバイスに取り付けるための表面処理パッドに関する。
【背景技術】
【０００２】
汚れた表面を洗浄するためには、通常は化学洗浄製剤を使用して、表面を拭いたり、ブラシで擦ったりすることで、ゴミや汚れ等がほぐされ、表面から除去される。同様に、家具あるいは床につや出し剤やワックスを施すときは、人はしばしばこれをぼろ切れ等で擦り込む。
【０００３】
電動力によると、表面をより簡単に洗浄、つや出し、あるいは他の処理を施すことができる。幾つかの従来技術のデバイスは、モータにて駆動される研削砥石あるいはポリッシャーを有する。例えば、SonicScrubbersは硬い表面（例えば家庭において典型的に見られる硬い表面）のパッドによる清浄を容易にするための回転振動ドライバ上に搭載可能な交換可能な研磨パッドを販売する。
【発明の概要】
【発明が解決しようとする課題】
【０００４】
しかしながら、これらの電動化されたアプローチでは、典型的には、別に手動にて洗浄用あるいは他の処理製剤を、処理される壁あるいは他の表面上に施す必要があった。さらに、これらやり方では、しばしば、結果として流体が（例えば、パッドが湿りすぎた場合に）制御不能に飛散してしまうこともある。さらに、これらパッドの早期の層間剥離を防ぐために、特別な注意を払うことが必要とされ、コスト増ともなった。
【０００５】
デバイスが洗浄剤をも表面に供給するように、振動するドライバ上に搭載可能なパッドに洗浄剤を含浸させる（あるいは洗浄剤パケットをそこに挿入することができるポケットを設ける）ことが提唱されている。しかしながら、このアプローチもまだ上述の他の幾つかの課題を解決するには至っていない。
【０００６】
従って、電動駆動デバイスと共に使用される改善された表面処理パッドに対する必要性が今もなお存在する。
【課題を解決するための手段】
【０００７】
本発明は一実施形態においては多層表面処理パッドを提供する。これは、ファスナーシステム（好ましくはフックループタイプのファスナーシステム）の一部分として機能するのに適する上側層と、第一の（好ましくは研磨あるいはつや出し）材料を有する底層と、占める容積の殆どがパッドの中央領域に位置し、隆起の形状（例えば、台地型あるいはドーム型等）で上層と下層との間に配置された表面処理製剤（好ましくは洗浄製剤）と、を含む。表面処理製剤の隆起によって上層は上方に膨らみ、電動デバイスをどこに取り付けたらよいかの視覚的指標を提供する。
【０００８】
上層と底層との間に配置された内部層を含んでも良く、この内部層は吸収性の材料から製造される。多様な層材料が可能であるが、一実施形態においては、上層はN35ループポリエステルとホットメルト湿気硬化性接着剤にて粘着的に結合された２０ミクロンプロピレン膜の裏張りされた積層基板を有し、内部層はセルロースと合成バインダー繊維の混合物を有し、底層はポリエステルを有する。
【０００９】
最も好ましくは、上層、内部層および底層は、例えば、隆起から径方向に外側において、パッドの中央領域から外側に放射状に延在して配列されたスポークあるいはスポット溶接、および円の周辺の溶接にて、互いに溶接される。このパッドは好ましくは平面図において概ね円形ディスクの形状であるが、しかしながら、そこから径方向に外側に突出する、ユーザが製剤に曝されることなくこれを掴むことを容易にするための一つあるいは複数の小さなタブを含んでもよい。これら溶接は、他の構成、例えば、線状のスポット溶接であっても、あるいはリング状の溶接であってもよい。
【００１０】
本発明のもう一つの実施形態においては、スカートのように、パッドの外側円周エッジはパッドのより中央部分に対して下方にバイアスされる。これはカップ形状の接触エリアを形成し、使用中に液体が外側に放射状に飛散するのを阻止する。
【００１１】
製造を容易にするために、製剤は流動性材料、例えば、ペーストあるいはゲルの形態にて注入してもよい。代わりに、これはカプセルに入られた固体粒子であっても、あるいは他の容易に注入できる固体の材料であってもよい。洗浄剤の場合は、製剤は典型的には界面活性剤を含むこととなるが、しかしながら、他の成分、例えば、酸（乳酸）、グリコールエーテル溶剤、および香料を有してもよい。つや出しあるいは他の表面処理材の場合は、これはそのような目的に対して適する成分（例えば、シリコン）を含むでもよい。
【００１２】
もう一つの実施形態においては、本発明は、回転（例えば、一方向に連続的に回転あるいは前後に振動して回転）するヘッドを有する電動ドライバを有する洗浄デバイスを提供する。ヘッドはファスナーシステム（好ましくはフック/ループタイプのファスニングシステム）の一部が設けられた面を有する。このタイプのデバイスの例は、SonicScrubbers Model SSB、およびSSD4ドライバである。
【００１３】
本発明によると、改善された多層表面処理パッドが用いられたこのタイプのデバイスを用いることが提唱される。パッドは前記面に対して搭載され、それによって回転されるファスナーシステムのもう一つの部分として機能するのに適する上層と、（好ましくは）研磨材、つや出し、あるいは他の表面処理材料を有する底層と、パッドが使用される前に上層と底層との間に配置されている表面処理製剤と、を有する。
【発明の効果】
【００１４】
本発明のパッドは、表面処理剤を供給するために電動デバイスの駆動力を使用し、製剤を使用の度に別個に加えることは必要とされない。パッドは、湿っているときに駆動されるパッドによって引き起こされる放射状の飛散が最小限に抑えられるよう、パッドに対するドライバの最適な取り付け場所の視覚的指標が提供されるよう、およびドライバをパッドに対して押しつけると化学物質の取り出しも強く促されるような取り付け場所が提供されるよう、に設計されている。パッドは非常に低価格にて製造することができ、溶接パターンはこれらが早期に剥離してしまうことを回避するのを助ける。
【００１５】
本発明の上述の長所および他の長所は、以下の説明から明らかになるであろう。説明においては添付の図面が参照されるが、図面も説明の一部を形成するものであり、そこには、制限のためではなく、解説のために、本発明の好ましい実施形態が示されている。これら実施形態は必ずしも本発明の全範囲を表すものではなく、従って、本発明の範囲を解釈するためには付属のクレームが参照されるべきである。
【図面の簡単な説明】
【００１６】
【図１】収納トレイ内での本発明の電動デバイスの環境図であり、近くに２つのタイプの交換パッドが示されている。
【図２】パッドが取り外された状態での電動デバイスの分解斜視図である。
【図３】大きな底部研磨みがきエリアを有する第一のパッドの平面図である。
【図４】図３のパッドの底面図である。
【図５】図３の線５−５に沿って切断された断面図である。
【図６】より小さな研磨みがきエリアを有する第二のパッドの平面図である。
【図７】電動デバイスのヘッドに取り付けられている図３のパッドの部分断面図であり、ここではパッドは対面する上面を洗浄しているときの環境図である。
【発明を実施するための形態】
【００１７】
最初に図１および２を参照し、電動デバイス１０が第一の洗浄パッド１２に隣接して示されている。電動デバイス１０は電動デバイス１０が使用されてないときは収納トレイ１４内に保持されてもよい。電動デバイス１０は図２においては収納トレイ１４から取り外して示されている。
【００１８】
電動デバイス１０はハンドル１６、および第一のネック２０の端部に設けられたヘッド１８を有する。ハンドル１６はユーザが電動デバイス１０を保持する際の握り具合を改善するためのオーバーモールドパターンを有するゴム表面を備えるグリップ部分２２を含む。ハンドル１６の、ネック２０の方向において上方には、グリップ部分２２を保持するユーザの親指による操作がしやすい位置にオン/オフボタン２４が配置されている。
【００１９】
オン/オフボタン２４は電動デバイス１０内のヘッド１８の回転振動を駆動する内部モータ（図示せず）の動作を開始または停止させるためのトグルスイッチであってもよい。図示されていないが、ハンドル１６はそのベース内に内部モータを作動させるために必要なエネルギーを供給する蓄電池を収容する。内部モータを作動させるためには、取り外し可能なあるいは不可能な充電式蓄電池を用いてもよく、あるいは電源コードを用いてもよい。内部モータはドライブシャフトを有し、これが回転され、この回転運動がネック２０内のシャフトに伝えられる。ネック２０内のスコッチヨークタイプの機構等によってこの完全な回転運動がヘッド１８の取り付け表面２６における振動する回転運動に変換される。
【００２０】
第一の洗浄パッド１２はヘッド１８の取り付け表面２６にフック/ループタイプのファスニングシステムを用いて取り付けてもよい。フック/ループタイプのファスニングシステムの一方の半分は取り付け表面２６上に配置され、フック/ループタイプのファスニングシステムの他方の半分は、後により詳細に説明されるように、洗浄パッド１２の少なくとも中央上側領域上に隆起に沿って配置される。洗浄パッド１２がヘッド１８の取り付け表面２６に取り付けられ、電動デバイス１０がオンされると、ヘッド１８の振動する回転運動が洗浄パッド１２に伝えられ、洗浄パッド１２にゴシゴシ洗う運動（Scrubbing motion）が提供される。
【００２１】
ネック２０は取り外し可能であり、（図１の収納トレイ１４内に示されている）より小さな代替のネック２８、あるいは他の付属部品と交換してもよい。示されている実施形態においては、ネック２０はネック２０をひねり、ネック２０をハンドル１６から軸方向に引き離すことで取り外してもよい。ハンドル１６内に代替のネック２８を軸方向に押し入れ、これら二つの要素を互いに対してねじり、これらを互いにロックさせることで取り付けてもよい。ツー・ピース電動デバイス１０は、好ましくは、バイオネットタイプの接続を有するが、他のタイプの取り付けを使用してもよいこと、あるいは電動デバイス１０はパッド以外の交換可能な要素は有さなくてもよいことを理解されるべきである。
【００２２】
示される実施形態においては、ネック２０と代替のネック２８との間の主な違いは、ネック２０は代替のネック２８よりも大きな取り付け表面２６を有することである。従って、ネック２０は代替のネック２８よりもより大きな洗浄パッド１２に取り付けるのにより適する。
【００２３】
次に図３から５を参照し、洗浄パッド１２は概ね円形ディスクの形状であり、パッド１２のほとんど中央領域３２にある隆起３０と外側円周エッジ３４を含む。隆起は平面図においては本質的に円形であってもよく、あるいは他の平面図の形状を有してもよい。パッドの外側円周エッジ３４のまわりに、そこから径方向にタブ３６が延在し、これによってパッド１２の中央に含まれる洗浄液等と直接に触れることなくバッド１２を扱うことができるようにされる。タブ３６はそのパッドの中に特定のタイプの洗浄成分が含まれていることを示すため、あるいは家の中の意図される使用のエリアを示すための配色を有してもよい（例えば、緑のタブは台所内で使用するための化学製剤を有するパッドであり、青のパッドは浴室で使用するためのパッドであって、漂白製剤を表す、などなどであってもよい）。
【００２４】
図５に最も良く示されているように、洗浄パッド１２は、上層３８、内部層４０、および下層４２を含む３つの層を有する。上層３８はフック/ループ式のファスナーシステムのパーツの一つとして機能するのに適し、Aplixから入手可能なN35ループポリエステルの積層基板を含み、これに２０ミクロンポリプロピレン膜の裏張りが、（例えば）Nordsonから入手可能なポリウレタンホットメルト湿気硬化性接着剤にて接着的に結合されている。内部層４０はAhlstronから入手可能なセルロースと合成バインダー繊維の混合物を有する吸収層である。底層４２はMatadorから入手可能なポリエステルから製造された研磨層である。これら層の実際の性質は、上層はドライバへの取り付けが容易であることが特に好ましいことを除いて、変更できることを理解されるべきである。さらに、洗浄の用途に対しては、下層は研磨材にすることが極めて好ましい。
【００２５】
選択された位置において、上層３８と底層４２は互いに溶接される。図３に最もよく示されているように、これら層は洗浄パッド１２の外側円周エッジ３４のまわり、並びに放射状の溶接線４４に沿って溶接され、これは洗浄パッド１２の中央領域３２から径方向に外側に（つまり、隆起３０から径方向に外側に）延びるスポークの配列を形成する。さらに、外側円周エッジ３４の溶接部分は、図５および７によって最もよく示されているように、パッド１２のより中央部分に対してモールディングステップによって下方にバイアスされ、これによってパッド１２が使用されるときに、洗浄されている領域の、外側円周エッジ３４のまわりにスカートが提供される。このスカートのエッジは必要であれば、示されているよりその外側エッジの所で厚くすることもできる。
【００２６】
溶接線４４は図３の平面図においては見えるが、一実施形態においては、これらは（図４に示されているように）、この構造の底まで貫通して延びることはない。しかしながら、代わりに、これらもパッドの底部に突起するように製造することもできる。
【００２７】
流動性の洗浄製剤（例えば、流動性のペースト）が最初に（つまり、パッド１２が洗浄のために使用される前に）、内部層４０と底層４２との間に配置される。こうして形成された３層サンドイッチが次に上部と底に中央凹部を有するプレスモールド内に配置される。プレスモールドを閉じると、ペーストによって上側および下側層の中央領域が凹状に歪められ、こうしてパッド上に目に見える隆起３０が形成される。
【００２８】
洗浄製剤はこうして殆どが隆起３０の領域内に配置され、このためヘッド１８の取り付け表面２６が隆起３０上の上側層３８の中央領域に取り付けられ、洗浄の際に圧力が加えられ、パッドが湿らされると、洗浄製剤が中央領域３２から効率的に絞り出される。
【００２９】
水あるいは他のこのような流体が導入されると、パッド１２内での洗浄製剤の水性の分散が誘発される。いずれにしても、洗浄製剤は、最初は隆起３０内に位置するが、通常の使用条件の際に（つまり、ヘッド１８の振動と水等の導入によって）パッド１２の底層４２を通って供給される。
【００３０】
洗浄製剤自体は複数の異なる製剤のいずれであってもよい。洗浄製剤は好ましくは洗浄されるべきエリア（例えば、台所、浴室等）に対して最適化される。さらに、製造を容易にするために、洗浄製剤は、最初は、自動装置によって洗浄製剤を簡単に注入でき、未使用のパッドの中間層４０の隆起３０内に保持されるが、パッドの使用の際に分散できるように実質的に流動的になる（例えば、ペースト様の）流動コンシステンシーを有してもよい。
【００３１】
洗浄製剤が台所内で使用されるために選択される一実施形態においては、洗浄製剤の成分は以下の表１に示されるようであっても良い。
【００３２】
【表１】
2013502268.tif 000003
【００３３】
洗浄製剤が浴室内で使用するために選択されるもう一つの実施形態においては、洗浄製剤の成分は以下の表２に示される通りである。
【００３４】
【表２】
2013502268.tif 000004
【００３５】
特定のパッドに注入されるべき洗浄製剤の量はパッドの特定のサイズに依存して変えてもよい。パッド１２に対しては、最初に内部層４０に対して１．５から３．５グラムの間の洗浄製剤を配置することが考えられる。より小さなパッド、例えば、パッド４８に対しては、例えば、０．２５から０．７５グラムの間のより少ない量だけの洗浄製剤のみが必要となろう。
【００３６】
次に図６を参照すると、代替のパッド４８が示されている。図示されているように、このようにサイズが小さな場合は、代替のパッド４８は、より大きなパッドと同じ３つの層（つまり、上側層、内側層、および底層）を有するにもかかわらず、外側円周エッジ５０に沿って溶接が存在するのみで、下方に突き出たスカートは存在しない。上層の取り付け表面５２はより小さなために、電動デバイス１０の取り付け表面も、例えば、代替のネック２８におけるそれのように、より小さくてもよい。しかしながら、必要であれば、パッド４８にも、（図５においてより大きなバージョンに対して示されているスカート３４のような）下方に曲がったスカートを提供してもよい。
【００３７】
次に図７を参照し、この図においては、電動デバイス１０のヘッド１８の取り付け表面２６のパッド１２の上層３８へのフック/ループタイプの接続を介しての取り付けが示されている。勿論、代わりに他のファスニング手段、例えば、接着剤もしくは機械的接続を用いてもよい。
【００３８】
とりわけ、底層４２は、これは研磨材であるが、対向する上面５４と接触する。パッド１２が湿らされ、次に電動デバイス１０のヘッド１８によって振動させられると、洗浄流体が底層４２を貫通して表面５４へと供給される。表面５４と接触する研磨面を有する底層４２の運動と、表面５４への洗浄流体の供給とが、表面５４から汚れを化学的および機械的に除去することによって、表面５４の洗浄の助けとなる。
【００３９】
パッド１２の中央領域３２が隆起部分の形状で膨らみを提供するため、これは都合良いことに、ユーザに対して、中央領域３２が、ヘッド１８をパッド１２に取り付けるときの最もバランスの取れた位置であることを示す。これは、ドライバが中央に配置されてない場合に発生する可能性のあるぐらつきと飛散の発生を低減させる。
【００４０】
さらに、洗浄製剤は、最初は殆どが中央領域３２の隆起３０内に位置するために、ユーザが電動デバイス１０を介して圧力を加えると、圧力は直接に隆起３０に加わり、これは洗浄製剤を中央領域３２から軸方向に外側に絞り出す効果を有する。
【００４１】
溶接線、とりわけ放射状の溶接線４４は、パッド１２が回転しながら振動する際にさまざまな層を互いに固定し、パッド１２の全体としての剛性を維持することを助ける。放射状の溶接線４４はこれらが振動する回転にさらされたとき、これらの層がばらばらに剥がされてしまうことを防止する。この剥離の問題は、これら層が異なる剛性を有し（つまり、内側層が繊維性の吸収層であり）、水溶性の製品が導入されるときは特に深刻である。
【００４２】
放射状の溶接線４４はさらにパッド１２が回転しながら振動されたときパッド１２が平面からパタパタ跳ね上がることを防止する構造上のリブも提供する。これは底層４２が洗浄されている表面５４とより良好な接触を保たれるために、パッド１２から洗浄流体が径方向に飛散することを低減させる。溶接線はパッド１２に対してより高い剛性を提供する。単なる縫い合わせ等では、柔軟性が少なく、元の形状に戻る傾向は強い溶接のような剛性を提供することはできないであろう。従って、セクションがディスクによって規定される当初の平面から外れるようにパッド１２を曲げるために、より多くの力が要求されるであろう。
【００４３】
小さなパッド、例えば代替パッド４８の場合は、パッドの一体性を維持するための放射状の溶接線は必要ない場合もある。電動デバイス１０の取り付け面に固定されるパッド４８の部分はパッド４８の接続エリアの十分な割合または全てであるかもしれず、あるいはパッド４８の外周のまわりの溶接５６はパッド４８の全てのパーツに十分に近く、放射状の溶接線がなくてもこれら層の剥離は問題にならない場合もある。
【００４４】
飛散をさらに防止するために、下方にバイアスされた外側円周エッジ３４はパッド１２の外側円周のまわりにスカートあるいは遮蔽体を提供する。外側円周エッジ３４は溶接線であるために、これは構造的に強く、比較的非吸収性である。こうして、洗浄過程において用いられ、底層４２から放射状に吹き出される殆どの洗浄製剤および/または水溶性の溶液は、外側円周エッジ３４によってパッド１２の直下の領域の外側に飛散することを止められる。
【００４５】
パッド１２が消耗してしまった（つまり、底層４２の上の研磨材がその有効性を失ってしまった、あるいは洗浄製剤が完全に消費されてしまった等の）後、ユーザは、タブ３６をつまみ、パッド１２を、電動デバイス１０から外すために強く引っ張ることで、パッド１２を取り外してもよい。こうして、ユーザは製剤によって覆われている可能性のあるパッド１２の領域に触れることを回避することができる。
【００４６】
溶接は超音波あるいは他の熱ベースの溶接にて形成することができ、スカートはエッジ加熱モールディングにて形成することができる。こうして、多層表面処理パッドおよびこれと共に用いるための駆動デバイスが開示されたが、これは、製剤を飛散させず、あるいはパッドをあまりにも早く劣化させずに、汚れた表面を効率的にゴシゴシ洗浄する（あるいは他の表面処理をする）ことを可能にする。この構造は、表面処理製剤を供給できるタイプのより長持ちするパッドを提供すると共に、ユーザに対して、電動デバイスの取り付けヘッドがパッドにどこにおいて最適に取り付けられるべきかの明確な指標を与える。さらに、取り付けヘッドが製剤の隆起上に取り付けられたことを前提に、ユーザによって加えられる圧力は製剤の供給を有利に助けるであろう。
【００４７】
上では本発明の好ましい実施形態が説明されたが、本発明は多様な他の実施形態にて使用することもできることを認識されるべきである。例えば、電動デバイス１０は必ずしも振動する回転運動を加える必要はない。これは、代わりに、パッドの非振動の回転運動を、さらには前後する軸方向の運動を提供することもできる。さらに、パッド内に使用される製剤は、表に掲載された成分の量とは異なる量を有していてもよいし、追加の成分を有していてもよいし、あるいは幾つかの成分を除外してもよい。例えば、家具用のポリッシャーは木の表面にもっと適する化学物質を使用するパッドを有すればよい。
【００４８】
さらに、処理されるべき表面は殆どの場合、硬い表面（例えば、浴室のタイル、カウンタの上、窓）であるが、これらデバイスはまた柔らかな表面、例えば、染み取りを染み込ませる必要のある織物などに用いることもできる。
【００４９】
加えて、パッドは３つ以上の層、あるいは２つの層だけを含んでも良く、これら層は多様な材料から製造されてもよい。
【００５０】
これら他の変更は本発明の精神および範囲から逸脱することなく行ってもよい。従って、本発明の全範囲を理解するためには（単に好ましい実施形態のみではなく）クレームが参照されるべきである。
【産業上の利用可能性】
【００５１】
回転（例えば、振動）デバイスと共に用いられる改善された表面処理パッドが開示される。
【図１】
2013502268.tif 000005
【図２】
2013502268.tif 000006
【図３】
2013502268.tif 000007
【図４】
2013502268.tif 000008
【図５】
2013502268.tif 000009
【図６】
2013502268.tif 000010
【図７】
2013502268.tif 000011
【国際調査報告】
2013502268.tif 000012
2013502268.tif 000013
2013502268.tif 000014